(57)【特許請求の範囲】
【請求項１】
化粧料容器の部品であり塗布棒（４）の先端に筆毛（９）をそろえた毛束（７）を設け適量の液状化粧料（１０）を取り出す化粧用塗布具（６）において、化粧用塗布具（６）が毛束（７）と、筒状の金属又はプラスチックで形成されると共に毛束（７）を挿着固定する口金（８）と、該口金（８）の口元先端より突出し毛束（７）を弾性的に束ねるウレタンゴム、シリコンゴムなどからなる被覆部（２０）とを有し、該被覆部（２０）により毛束（７）を形成する筆毛（９）の塑性変形を防止することを特徴とする化粧用塗布具。
【請求項２】
請求項１記載の化粧用塗布具が、毛束（７）の根元側（３１）に液状のウレタンゴム、シリコンゴム等を浸漬あるいは注型して弾性のある被覆部（２０）を形成した後、該毛束（７）を口金（８）に挿着固定し、被覆部（２０）の先端が口金（８）の端部からわずか突出することを特徴とする化粧用塗布具の組み立て方法。
【請求項３】
請求項１記載の化粧用塗布具が、毛束（７）の毛先側を口金（８）の端部より突出するように挿着固定した後、液状のウレタンゴム、シリコンゴム等を口金（８）の先端側に隣接する毛束（７）を帯状に塗布含浸させ弾性のある被覆部（２１）を形成することを特徴とする化粧用塗布具の組み立て方法。
【発明の詳細な説明】
【技術分野】
【０００１】
本発明は、口紅、リップグロス、アイライナー、マニュキュアなどの液状化粧料を塗布する化粧用塗布具および化粧用塗布具の組み立て方法に関するものである。更に詳しくは塗布棒の先端に筆毛をそろえた毛束を設けた化粧用塗布具および化粧用塗布具の組み立て方法に関するものである。
【背景技術】
【０００２】
口紅、リップグロス、アイライナー、マニュキュアなどに使われる化粧用塗布具は塗布棒の先端に該塗布棒の軸長方向に毛並みをそろえたブラシが広く使われている。これらブラシは化粧料容器から化粧料を取り出す過程で、塗布棒を挿通するワイパーにより余分な液状化粧料を払拭され付着量を適量に調節する。そのためワイパーはウレタンゴム、シリコンゴムなどの軟質な高分子材料で構成されると共に塗布棒及び口金の外径よりもわずか小さな穴径の払拭穴を形成している。
【０００３】
払拭穴は液状化粧料を収納する容器本体内に塗布棒を挿入する際、外周の筆毛を口金とワイパーとの間に挟み込んで折り曲げてしまい、時には図６に示すような折れ毛１７を形成する。図６は従来の化粧用塗布具の一例図であり、口金８に筆毛９をそろえて束ねた毛束７が挿着されている。従来の化粧用塗布具では筆毛９が逆方向に引っ張られた場合、口金８の端部側開口部１８を中心に局部的に変形して曲げられ塑性変形し折れ毛１７を形成する。折れ毛１７は形状の整えられた毛束７から外側に不規則にはみ出し化粧料を目元、口元、爪等に塗布する場合、輪郭が上手に描けなくなるといった致命的な欠陥が生ずる。
【０００４】
そこで折れ毛の形成を防止するため毛束の外径を払拭穴の径よりも小さくし、筆軸の容器口部への挿入の際に筆毛がワイパーと干渉しない液体化粧料塗布具が特許文献１に提案されている。
【０００５】
【特許文献１】特開２００３−１６９７１３号公報
【発明の開示】
【発明が解決しようとする課題】
【０００６】
特許文献１では毛束の外径を払拭穴の内径よりも小さく形成するため、塗布棒を払拭穴に正確に挿入していけば、毛束はワイパーに触れることはなく挿通できる。
【０００７】
しかし、塗布棒は手挿着のため手元がくるい、毛束の先端が容器口元に当接し曲げられたまま、塗布部の化粧料容器への挿入時に筆毛がワイパーの内壁に触れて筆毛を巻き込んでしまうことがある。折れ毛が発生する原因は、塗布部を容器本体の口部に挿入する際、毛束を塗布棒と払拭部の間で巻き込むことにより口金のコーナーで折れ曲がり、塑性変形により筆毛に折れ目がついてしまうためである。したがって特許文献１による折れ毛防止の解決は困難であった。
【０００８】
本発明は上記問題点に鑑みてなされたものである。そしてその目的とするところは繰り返し使用しても、毛束を形成する筆毛に折れ毛のような塑性変形を発生することなく使用できる化粧用塗布具を提供しようとするものである。
【課題を解決するための手段】
【０００９】
本発明は口紅、リップグロス、アイライナー、マニュキュアなどの液状化粧料を塗布する筆毛９に折れ毛の発生を防止するものである。
【００１０】
すなわち化粧用塗布具６が毛束７と、筒状の金属又はプラスチックで形成されると共に毛束７を挿着する口金８と、口金８の口元先端より突出し、毛束７を弾性的に束ねるウレタンゴム、シリコンゴムなどからなる被覆部２０とを有し、被覆部２０により毛束７を形成する筆毛９の塑性変形を防止するものである。
【００１１】
さらに化粧用塗布具６は、毛束７の根元側３１に液状のウレタンゴム、シリコンゴム等を浸漬あるいは注型して弾性のある被覆部２０を形成した後、毛束７を口金８に挿着固定し、被覆部２０の先端が口金８の端部からわずか突出させるものである。
【００１２】
さらに化粧用塗布具６は、毛束７の毛先側を口金８の端部より突出するように挿着固定した後、液状のウレタンゴム、シリコンゴム等を口金８の先端側に隣接する毛束７を帯状に塗布含浸させ弾性のある被覆部２１を形成させるものも良い。
【００１３】
尚、口金８の端部とは塗布棒４に取り付けられる筒状の口金８の筆先側を示す。
【発明の効果】
【００１４】
本発明化粧用塗布具にあってはつぎに記載する効果を奏する。すなわちウレタンゴム、シリコンゴムなどからなる被覆部２０，２１は、口金８の端部側開口部に近接する毛束７の外周を被覆する。そのため被覆部２０，２１は筆毛９がワイパー１５に巻き込まれるなどして変形する場合、筆毛９から応力を受け両者接触したまま変形させられる。すなわち被覆部２０，２１は筆毛９からの応力を広い面積で受け分散すると共に曲げられた筆毛９の復元を補助する。
【００１５】
したがって筆毛９を逆方向すなわち少々塗布棒４の方向に巻き込んだまま塗布部６をワイパー１５の払拭穴１６を挿通しても、筆毛９の外周が口金８の端部に近接し集中する鋭角な折れ曲がりをなくし応力の集中を緩和する。そのため筆毛９に折れ目などの塑性変形を生ずることがなくなる。また筆毛９自身が持っている復元力及び被覆部２０，２１の復元力により元の毛束７の状態に戻すことができる。
【発明を実施するための最良の形態】
【００１６】
つぎに本発明の実施例について説明する。図１は本発明に係る液状化粧料容器の断面説明図で塗布棒４の先端に毛束７が配設された化粧用塗布具を有する。
【００１７】
図１における液状化粧料容器は液状化粧料１０を保有する容器本体１１と、容器本体１１を密閉するキャップ１からなる。キャップ１の下方内面には雌ネジ３が形成され、更にキャップ１内から外方に塗布棒４が垂下されている。図において化粧用塗布具６は塗布棒４の先端に挿着されている口金８と、口金８に挿入された毛束７と、毛束７を口金８の端部側開口部１８に近接した位置で弾性的に束ねる被覆部２０とより構成されている。容器本体１１の上端には化粧用塗布具６を挿脱する口部１２が設けられている。口部１２の外周には雄ネジ１３が形成され、キャップ１を容器本体１１に螺合するよう構成される。
【００１８】
口部１２の内側には化粧用塗布具６に付着する液状化粧料１０を払拭する払拭部１４が設けられている。払拭部１４にはワイパー１５が形成されワイパー１５には中心部に塗布棒４が挿通する払拭穴１６が設けられている。払拭穴１６は化粧用塗布具６が払拭穴１６を挿通する際、毛束７に過剰に付着する液状化粧料１０を払拭する。またこの払拭穴１６は塗布棒４の外径よりも若干小径に形成されており、塗布棒４に付着する液状化粧料１０を容器本体１１から引き抜く際に払拭する。
【００１９】
毛束７は更にアルミニウムパイプなどの金属筒、ポリアミド系合成樹脂製のパイプなどのプラスチック筒等からなる口金８に挿入され、カシメ加工等により挿着固定される。被覆部２０は軟質のウレタンゴム、シリコンゴム等で構成され、塗布棒４の先端に設けられる毛束７の端部側開口部１８に近接する外周を弾性的に束ねる。
【００２０】
図２は本発明に係る塗布部の第１の実施例部分拡大断面図である。図において口金８はカシメ加工などにより毛束７を変形固定するためアルミニウムなどの軟質の金属が好適に使用される。口金８は毛束７を構成する筆毛９より硬度、剛性が大である。毛束７の根元側３１は液状のウレタンゴム、シリコンゴムに浸漬などの手段により被覆部２０を被覆し、弾性的に束ねている。被覆部２０は口金８の端部側開口部１８からわずか突出する位置まで被覆している。
【００２１】
図３は本発明に係る口金８に固定される毛束７の挿着説明図で、図２で例示するような根元側３１を液状のウレタンゴム、シリコンゴムに浸漬して被覆部２０を被覆し、弾性的に束ねた毛束７の口金８へ挿着固定する場合の工程を示す。図３（Ａ）は化繊等で構成される原毛の毛並みを一方向にそろえると共に長さをそろえ根元側３１を糊で軽く固定した毛塊３０である。図３（Ｂ）は図３（Ａ）の毛塊３０から分けられ毛束７を製作するに必要な分量の筆毛９である。図３（Ｂ）の毛束７は円柱状に整えられた後、図３（Ｃ）に示されるように被覆部２０が毛束７の根元側外周を液状のウレタンゴム、シリコンゴム等に浸漬あるいは注型等により被覆を形成する。外周を被覆部２０で被覆し弾性的に束ねた毛束７は、図３（Ｄ）に示されるように円筒形の口金８に矢印Ａの方向すなわち塗布棒側開口部１９より挿入される。口金８に挿入された毛束７は図３（Ｅ）に示すように被覆部２０を口金８の端部側開口部１８よりわずか突出するよう位置決めされる。
【００２２】
尚図３では毛束７の根元側３１を液状のウレタンゴム、シリコンゴム等のラテックス等に浸漬して硬化させた被覆部２０で被覆するが、常温硬化型のウレタンゴム、シリコンゴム等を毛束７の根元側３１に注型することも良い。
【００２３】
図４は本発明に係る塗布部の第２の部分拡大断面図である。
図４では毛束７の外周を被覆する被覆部２１を口金８に挿着される毛束７の端部側開口部１８に近接した位置で帯状に塗布させ被覆し弾性的に束ねている。この場合、毛束７を口金８に挿着固定した後に被覆部２１を塗布あるいは注型するもので、被覆部２１には常温硬化型、ＵＶ硬化型で化学的に安定なウレタンゴム、シリコンゴム等が使用される。
【００２４】
図５は本発明に係る被覆部の作用説明図である。図５は図１に示す液状化粧料容器で筆毛９を口金８とワイパー１５との間に巻き込んだ状態を示す部分拡大断面図である。一般に図５のように筆毛９を口金８とワイパー１５との間に巻き込むような状況は、狭い口部１２に毛束７が当接するなどして一部の筆毛９が塗布部６の下方挿入に抗して曲がることによって生ずる。筆毛９が口金８に当接したまま塗布棒４を無理に容器本体１１内に押し込もうとすると筆毛９はワイパー１５との間に挟持され摩擦力により軽く扱かれる状態になり、毛束７の伸長方向と反対方向に曲げられる。この時筆毛９には端部側開口部１８のエッジを支点にする折り曲げ力が働く。しかし、毛束７の根元側３１はウレタンゴム、シリコンゴム等の被覆部２０で被覆されており、被覆部２０の先端は図２に示すように端部側開口部１８より突出しているため筆毛９は図５のように弾性体２０と共に曲げられる。
【００２５】
端部側開口部１８に位置する被覆部２０は筆毛９の引っ張り力を受けて拡径するよう変形し、筆毛９は硬い口金８を避け被覆部２０に沿って筆毛９の変形を筆毛９の長さ方向に分散して変形される。すなわち本発明に係る被覆部２０を口金８の端部側開口部１８に配することにより図６に例示する折れ毛１７のような塑性変形を避けることができる。また筆毛９、被覆部２０の合成の復元力により曲げられた筆毛９を容易に復帰させることができる。
【００２６】
図５では図２のように毛束７の根元側３１に被覆した被覆部２０を例に説明している。他方図４に示すように口金８に挿着される毛束７の端部側開口部１８に近接した位置で帯状に塗布し被覆部２１を被覆した場合も同様に折れ毛１７のような塑性変形を避けることができる。また図５では塗布棒４と塗布部６の口金８を別体にした構成について説明したが、また、口金８の横断面形状は扁平な楕円形状、トラック形状や、非円形状においても実施可能であることは言うまでもない。
【００２７】
以上説明の通り本発明の化粧用塗布具は、化粧用塗布具６の口金８先端に被覆部２０を配する構成となる。そのため毛束７が逆方向に巻き込まれた状態で化粧用塗布具６がワイパー１５の払拭部１４を挿通してしまったり、キャップ１を嵌合させてしまったりしたとしても、毛束７に復元不能な折れ目などの塑性変形の生ずることを防止する。したがって、本発明の化粧用塗布具は繰り返し使用しても、半永久的に折れ毛１７が発生することなく使用できる。
【図面の簡単な説明】
【００２８】
【図１】本発明に係る液状化粧料容器の断面説明図である。
【図２】本発明に係る塗布部の第１の部分拡大断面図である。
【図３】本発明に係る口金に固定される毛束の挿着説明図である。
【図４】本発明に係る塗布部の第２の部分拡大断面図である。
【図５】本発明に係る被覆部の作用説明図である。
【図６】従来の化粧用塗布具の一例図である。
【符号の説明】
【００２９】
１・・・キャップ
３・・・雌ネジ
４・・・塗布棒
５・・・パッキン
６・・・塗布具
７・・・毛束
８・・・口金
９・・・筆毛
１０・・液状化粧料
１１・・容器本体
１２・・口部
１３・・雄ネジ
１４・・払拭部
１５・・ワイパー
１６・・払拭穴
１７・・折れ毛
１８・・端部側開口部
１９・・塗布棒側開口部
２０・・被覆部
３０・・毛魂
３１・・根元側
【図１】
0004941884.tif 000002
【図２】
0004941884.tif 000003
【図３】
0004941884.tif 000004
【図４】
0004941884.tif 000005
【図５】
0004941884.tif 000006
【図６】
0004941884.tif 000007